(57)【要約】光を伝播できる中心コアと外側の鞘とからなる導光繊維類（２）を含み、少なくとも前記外側の鞘の長さ部分が、伝播される光を部分的にその繊維から逃すことを可能にする、内側のコアに対する屈折率を示す織物製品、及び織物製品の製造方法。
2004506106.tif 000002
【特許請求の範囲】
【請求項１】
光を伝播できる中心コアと外側の鞘とからなる導光繊維類（２）を含む織物製品であって、少なくとも前記外側の鞘の長さ部分が、伝播される光を部分的にその繊維から逃すことを可能にする、内側のコアに対する屈折率を示すことを特徴とする前記織物製品。
【請求項２】
前記繊維類（２）が光ファイバー類であり、かつ前記鞘部分が同一繊維類の表面的に修飾された領域により構成され、前記修飾は、織物の結果として、又は繊維表面の研磨、微小亀裂、延伸若しくは曲げにより、及び光を部分的に逃すことを可能にする別の作用によって得られる請求項１に記載の製品。
【請求項３】
前記修飾された領域が織物製品の化学的に処理された選ばれた領域である請求項２に記載の製品。
【請求項４】
前記領域が、芳香族及び脂肪族炭化水素、有機酸類、脂肪族アルコール、ケトン類、アルデヒド類、芳香族及び脂肪族塩素誘導体類、芳香族及び脂肪族アミン類、アミド類、芳香族及び脂肪族エステル類から選ばれる化学薬品により処理された領域である請求項３に記載の製品。
【請求項５】
前記領域がレーザービームによって処理された領域である請求項３に記載の製品。
【請求項６】
前記繊維類（２）が光ファイバー類であり、かつ前記鞘部分が繊維の全長に沿って適切な屈折率を有する鞘を製造することによって得られる請求項１に記載の製品。
【請求項７】
前記繊維類（２）が化学的にドープ処理された高分子光ファイバー類である請求項１に記載の製品。
【請求項８】
前記繊維類が、キノン、アミン、シアニン、アゾ基を持ち得る又は持たない有機芳香族多環式分子で化学的にドープ処理されたＰＭＭＡ（ポリメチルメタクリレート）、ＰＥＡ（ポリエチルアクリレート）、ＰＥＭＡ（ポリエチルメタクリレート）、ＰＭＭＡ／ＰＥＭＡ（ポリメチル／ポリメチルアクリレート）、ＰＣ（ポリカーボネート）、ＰＳ（ポリスチロール）から選ばれる材料でできた高分子繊維類である請求項７に記載の製品。
【請求項９】
少なくとも多数の隣接しないたて糸又は織糸が導光繊維類（２）からなり、かつ少なくとも１つの前記導光繊維類の自由長さの部分が、対応する織物の基部（６，７）と織り混ぜられない、織糸及びたて糸でできた織物からなる請求項１〜８のいずれか一項に記載の製品。
【請求項１０】
前記繊維類が織物のたて糸として配置されている請求項９に記載の製品。
【請求項１１】
前記繊維類が織物の織糸として配置されている請求項９に記載の製品。
【請求項１２】
以下の段階を含むテキスタイル織機により請求項９に記載の製品を製造する方法。
ａ）多数の導光繊維類（ｆ）の選択
ｂ）隣接しないたて糸又は織糸として前記繊維類（ｆ）を配置すること
ｃ）織物の一次部品（５）を織ること
ｄ）繊維類（ｆ）だけが織糸／たて糸により織り混ぜられない、少なくとも１つの織物部品（６）を織ること
【請求項１３】
前記繊維部品（６）を介して、可能であればそれらの中間部分で、織物を切断する工程をさらに含み、その結果、前記繊維類（ｆ）が切断され、かつ対応する織物の基部を自由な状態にする請求項１２に記載の方法。
【請求項１４】
繊維類（ｆ）が張力制御手段により供給されるたて糸として配置される請求項１３に記載の方法。
【請求項１５】
前記張力制御がビーム供給繊維類（ｆ）の自律的動力化により得られる請求項１４に記載の方法。
【請求項１６】
前記繊維類（２）の自由端で光学的に連結された少なくとも１つの光源（１０，ＬＳ）を含む請求項１〜１１のいずれか一項に記載の製品でできた物品。
【請求項１７】
前記光源が、繊維類（２）の束（７）の一端に金属輪によってしっかりと固定され、かつバッテリーパック及びＤＣ／ＡＣ変換器により構成される電源ユニットにケーブル（１１）を通して連結されるＬＥＤダイオード（１０）からなる請求項１６に記載の物品。
【請求項１８】
ダイオード（１０）及び繊維類（２）の間の連結がキャップ（１２）により被覆されかつ保護される樹脂である請求項１７に記載の物品。
【請求項１９】
前記電源ユニットが前記物品のポケットにより収容されている請求項１７に記載の物品。
【請求項２０】
前記繊維類（２）の束が、繊維類（２）の自由部分の基部をなる織物部品を折り重ねることにより得られるへり（８）を内部に含む請求項６〜８のいずれか一項に記載の織物から製造される請求項１７に記載の物品。
【発明の詳細な説明】
【０００１】
発明の属する技術分野
本発明は、“照明繊維（ｉｌｌｕｍｉｎａｔｅｄ ｆｉｂｒｅｓ）”を含む織物又は他の繊維製品、及びその繊維製品でできた、かつそれ自体の適当なポケットに収納可能な電気バッテリーにより供給される光源を備えた物品に関する。本発明は、さらに従来の織機を経た織物の工業的な製造方法に関する。
【０００２】
本明細書において、“照明繊維”は、例えば、ＰＥＡ（ポリエチルアクリレート）、ＰＥＭＡ（ポリエチルメタクリレート）、ＰＭＭＡ／ＰＥＭＡ（ポリメチル／ポリメチルアクリレート）、ＰＣ（ポリカーボネート）、ＰＳ（ポリスチロール）などの高分子材料からなる繊維類及び／又は光ファイバーでできた光繊維類（ｌｉｇｈｔ ｗａｙｓ）を示す。
【０００３】
従来の技術
現在、発光する繊維類を含む織物の記述は、例えば、米国特許第４２３４９０７号から既に知られているが、現在に至るまで、それらの特徴を有する織物の実現が不可能であるため、そのような織物はこれまでに工業的に製造されていなかった。
【０００４】
前記文献の織物は、光源により一端において照らされ、かつ内部コアが光ファイバーから光を逃すことを可能にし、織物に所望の照明効果を与えるまでいくつかのクラッドのノッチ（ｎｏｔｃｈｅｓ）を備えた光ファイバー類を使用する。
【０００５】
残念なことに、米国特許第４２３４９０７号で記述されている織物には、いくつかの欠点がある。すなわち、
最初の問題は、大抵の光が、光ファイバー中の第一ノッチにぶつかって消費され、非常に強力、高消耗かつ大きな負担となる光源を使用しなければ、より遠くのノッチに到達するこができないことである。
【０００６】
第二の問題は、最も効力を喪失させる問題（ｉｎｖａｌｉｄａｔｉｎｇ ｏｎｅ）かもしれないが、これらのノッチが繊維を弱め、織物やさらなる製造（洗濯、摩擦・・・）を不可能にすることである。
【０００７】
第三の問題は、照明繊維類を集合化させるためには、これらの繊維類が一束に集められ、かつ光源に連結できるように、織物自体から充分な繊維長さが張り出している織物を製造する必要がある。いずれにせよ、前記文献を分析する限りでは、どのようにすれば工業的に適した方法が得られるのかについて記述されていない。
【０００８】
米国特許第４２３４９０７号において使用される“従来の”光ファイバーは、中間部分で分散することなしに、繊維の一端から他端への光伝播を支配する鏡面効果（ｍｉｒｒｏｒ ｅｆｆｅｃｔ）を内部に得るために、“コア”と中心部（コア）よりも劣った屈折率を有する“クラッド”とから構成されていることはよく知られている。
【０００９】
本発明の目的
本発明の第一の目的は、“照明繊維類”を含む織物及びその織物でできた、容易かつ効果的な方法で製造され得る物品類を提供することにある。
【００１０】
特に本発明の織物から製造され得る物品類は、
−布製品類（ズボン類、ジャケット類、スカート類、オーバーコート類、レインコート類、マントルピース類、シャツ類、スポーツ衣類、靴類など）；
−スポーツ品類；
−アクセサリー類（バッグ類、帽子類、ネクタイ類、ベルト類、フーラード類、手袋類、傘類など）、
−家庭用品（カーテン類、テント類、モケット類、上着用布地類、枕類、カバー類）及び自動車用品（室内装飾用品）；
−安全品類（警察官及び救助隊員用衣類、専門技術者用服、自動車用安全旗、トラックテント類、自動車用カバー、信号バンド類など）。
【００１１】
本発明の第二の目的は、工業的に効率のよい織物の製造方法を提案することにある。
【００１２】
本発明の要約
これらの目的は、ここに添付された独立請求項において特徴づけられる織物、その織物でできた布製品及び工業的にその織物の製造方法により達成される。
【００１３】
さらなる特徴は、従属請求項に含まれている。特に、本発明により手製品（ｈａｎｄｍａｄｅ）の内部において所望の光分散効果が次のように得られる。
ａ）光ファイバー類を端部で照らすこと、及び屈折率を部分的に変更し、かつ伝播される光の部分的な拡散を可能にするために、その織り方及び他の場合（その表面の研磨、微小亀裂（ｍｉｃｒｏ−ｃｒａｃｋｓ）、引っ掻き（ｓｃｒａｔｃｈｉｎｇ）、折り畳み）に起因する繊維類の表面修飾を利用すること
ｂ）繊維自体に溶解され、かつ繊維内部で光を吸収することができ、及び光が、少なくとも部分的に、限界角度（ｔｈｅ ｌｉｍｉｔ ａｎｇｌｅ）と異なる角度で入射し、それにより出て行くことができるように、３６０°の拡散角度で再発光（スパークリング及び／又はシフティング導光）できるドーピング成分の添加
ｃ）照明されるべき繊維長さに沿って分散するように、クラッドにより反射される光部分を内部のコアに変換するため、クラッドの屈折率を光ファイバー類の中心コアのものと一致するように適切に変更すること
【００１４】
この屈折率は、製造されるべき手製品、照明されるべき繊維長さ及び光源の特性の相関関係で好適に選ばれる。
【００１５】
本発明のさらなる特徴により、照明繊維の屈折率がブラッシング若しくはサンダー仕上げ（ｓａｎｄｉｎｇ）のような機械処理、又は以下のような化学薬品によって織物を処理することにより適切に修飾され得る。
−芳香族及び脂肪族炭化水素；有機酸類、脂肪族アルコール；ケトン類；アルデヒド類；芳香族及び脂肪族塩素誘導体類；芳香族及び脂肪族アミン類；アミド類；芳香族及び脂肪族エステル類。
【００１６】
繊維類のクラッドの適切な修飾は、繊維クラッドの非常に局所的な部分を繊維の残りの部分にいかなる損傷も生ずることなしに破壊できる適切なエネルギーからなるレーザービームにより織物を処理することに得られる。
【００１７】
このように、我々は、従来の光ファイバー類とはかなり異なる様式で作用する照明繊維を得る。
【００１８】
図面の説明
本発明の利点は、次の詳細な説明及び添付された図面から明らかにされるが、実施例を何ら限定するものではない。ここに、
−図１は、本発明による織物の組織（ｗｅａｖｅ）の一例を示す。
−図２は、織物から製造された一つの布製品を概略的に表す。
−図３は、電源供給手段と本発明の布製品の発光繊維類（ｔｈｅ ｌｉｇｈｔ ｅｍｉｔｔｉｎｇ ｆｉｂｒｅｓ）との連結を概略的に表す。
−図４ａ−４ｃは、本発明による布製品のさらなる製造段階を示す。
−図５は、発光繊維類が織物の織糸として配置されている本発明の織物のさらなる具体的態様の概略を示す。
【００１９】
本発明の詳細な説明
図面に関して、好ましい実施方法で、本発明の手製品は、多数のたて糸が織地（ｔｅｘｔｕｒｅ）３の幅に沿って間隔を置いて配置されるスパークリング繊維類２により構成される織物１を含む。
【００２０】
図１の組織概略図によって示されるように、たて糸の中で、繊維類２だけが織糸３の相当する番号ｍ１によって織り混ぜられていない。“遊離した”織糸の予め定められた番号ｍ１に応じて、繊維２の予め定められた長さを自由にしておく。
【００２１】
好都合なことに、この方法では、以下に詳しく述べられるように、光源により照らされるようにするために、束状に集められ、かつ一方の末端でつなげられるべき、必要とされる照明繊維の長さを決めることができる。
【００２２】
さらなる利点は、たて糸の残りは、織糸により普通に織り混ぜられ、その結果、自由繊維２を有する織物部分６が擦り切れないだけではなく、織物の下部でとどまり、重なり合うことができ、かつ、図４ａ−４ｃにおいて示されるように、照明繊維の束の周りを縫うことができる。
【００２３】
得られる織物片は、次いで照明繊維２が普通に織り込まれる部分５と、照明繊維２の束が収納される少なくとも一つのへり８を内部に有する第二の部分６とにより構成される。
【００２４】
図２に関して、本発明の布製品は、上記のように得られる一つ布製品から製造される。へり８から外側に出ている束７の末端は、光学的な連結を向上させるために、繊維類が（その軸に関しておおよそ９０°の角度で）切断された後に金属リング９又は同等の要素（ａｎ ｅｑｕｉｖａｌｅｎｔ ｅｌｅｍｅｎｔ）によりつながれる。
【００２５】
リング９の自由末端からダイオードＬＥＤ１０が挿入され、繊維２の末端と光学的に連結されるようにしっかりと固定される。電気ケーブル１１は、ダイオードの末端に接合され（好ましくは溶接）、それらから突出する。
【００２６】
好ましくは、電気的接合部１３は、ユーザーによる布製品の使用の間に可能性のある変形作用から前記接合部を保護するために、キャップ１２で覆われた樹脂により保護される。
【００２７】
図４ａ−４ｃは、自由繊維類２の束における接合（図４ａ）、手織品の織られた部分の境界線に沿った束の配置（図４ｂ）及び繊維束をつなげるためのへりを作製すること（図４ｃ）による布製品の最初の製造段階を概略的に示す。
【００２８】
実施するための好ましい方法では、本発明の照射繊維は、化学的にドープ処理された重合体の光ファイバー類で構成され、スパークリング繊維類と呼ばれている。
【００２９】
ドープ成分は、例えば、次の化合物が存在するキノン、アミン、シアニン、アゾ基を有し又は有しない芳香族多環式有機分子により構成される。
【００３０】
ポリフェニル化合物
メチルパラ−テルフェニル　　　　　　　　　　（ＤＭＴ）
パラ−テルフェニル　　　　　　　　　　　　　（ＰＴＰ）
テトラ　メチル　パラ−クアテルフェニル　　　（ＴＭＱ）
ジ−メチル　パラ−クアテルフェニル　　　　　（ＢＭＱ）
など。
【００３１】
オキザロ化合物
ジフェニル−ブチルフェニル−オキサジアゾール　　（ＢＵＴＹＬ−ＰＢＤ）
ジフェニル−フェニル−オキサジアゾール　　　　　（ＰＢＤ）
ジフェニルオキサゾール　　　　　　　　　　　　　（ＰＰＯ）
など。
【００３２】
クマリン化合物
ヒドロキシメチルクマリン
ジメチルアミノ−トリフルオロメチル−クマリン
ベンゾチアゾリル−ジエチルアミノ−クマリン
など。
【００３３】
ローダミン化合物
ジエチルアミノ−ジエチルイミノ−安息香酸
エチラミノ−エチリミノ−ジメチル−３Ｈ−キサンテン−安息香酸エチルエステル
【００３４】
好都合なことに、スパークリング繊維類は、末端に位置する光源からの光と繊維類の中間の織られた部分から周囲で乱反射した光の両方の光を受け取ることができる。使用されるドープ添加物に応じて、繊維類は、好ましくは４００ｎｍから７００ｎｍ以上の間の波長を有する光を発する。
【００３５】
スパークリング繊維類を使用することのさらなる利点は、その全長に沿って受け取った光を末端に伝播できるということである。したがって、織物を自然光あるいは人工光に曝すことにより、繊維類の末端に配置された１個以上のＬＥＤは、その繊維類を通して伝播される光を受け取り、電圧を生じることができる。この電圧は、次いでＤＣ−ＤＣ変換器に適用され、及びバッテリーを充電するために用いられる。
好都合なことに、このバッテリーは、繊維類を照らすために用いられるのと同一のものであり得る。
【００３６】
好都合なことに、繊維類が“擦られ又は引っ掻かれる”場合、我々は、上述のように、局所的に発した光を増加させることでき、かつ小さな棒、石又は他の手段により織物の上に図柄を簡単に描くことができる繊維類の表面修飾を得る。
【００３７】
図３は、並列に配置され（いかなる並列の組合わせ及び一連のダイオード１０の接続が用いられる）、かつ電気ケーブル１１を介して、取替えと再充電可能なタイプの電源バッテリー１５により電力供給されるＤＣ変換器１４に接続される多数のダイオード１０を概略的に示す。好ましくは、全体の寸法を小さくするために、前記変換器及びバッテリーは、同一のケース内に一緒に容器に入れられることが好ましい。
【００３８】
布製品及び要求される審美効果に応じて、１個以上の照明繊維が布製品の製造のために使用される。そのような訳で、すべての束を同一の光源に連結するのに十分な幅を有する自由な長さの照明繊維を用いて織物片を製造することが可能である。
【００３９】
好ましくは、バッテリー及びＤＣ変換器ケースは、例えば、ズボンベルトの高さで、布製品の適当なポケット内に収納される。それとは別に、布製品からケーブル１１だけを外に出し、外部電源供給群に連結されるようにすることもできる。
【００４０】
本発明により、上記に述べられたような織物の製造方法の記述は次のとおりである。
図１に関して、但し、所望の長さを有する連続した織物の製造のための織糸３（図１中の白い線）の横断により織られる、たて糸の番号“ｎ”（図１中の黒い線）は、昔から使われている織機（図中に示されていない）上に配置される。
【００４１】
多数のたて糸は、たとえ１対１（ｏｎｅ ｏｕｔ ｏｆ ｏｎｅ）又は１に対するいかなる数値（ｏｎｅ ｏｕｔ ｏｆ ａｎｙ ｎｕｍｂｅｒ）の間で別の比率が可能であっても、好ましくは１対４（ｏｎｅ ｏｕｔ ｏｆ ｏｎｅ）と１対１２（ｏｎｅ ｏｕｔ ｏｆ ｔｗｅｌｖｅ）の間の組織（ｗｅａｖｅ）比を有する繊維類ｆ（明確化のため、図中においては１本の繊維が示されている）からなる。
【００４２】
繊維類２の部分ｆに対応して、織機は、電子制御される形式のものが好ましいが、ソウコウ（ｈｅａｌｄｓ）を繊維類２に一致させておくように配置され、繊維類２だけが織糸のｍ１横断を開放し、かつその連続性を保っている織物１の本体がない状態を維持するように持ち上げられる。
【００４３】
ｍ１横断の後、織機は通常の状態に戻されるように配置され、繊維類２は、製造中に要求される織物部の長さに対応する番号ｍ２の横断のための織糸で再び織り込まれる。
【００４４】
好都合なことに、番号ｍ１を変更することは、自由部分の繊維類２の長さを変更すれば容易にでき、これは作製者が布製品を製造するために必要な長さの照明繊維類の束を得ることを可能にする。
【００４５】
例えば、布製品を製造するために５０ｃｍの自由な繊維類長さが必要である場合、“損失”織地の高さの真中で切断することにより２つの有用な織物の部分を得るために、１ｍの“損失”織地の長さが織り込み中に残される。
【００４６】
本発明によれば、照明繊維類２を織り込む間に別のたて糸とは異なる動作が存在すれば（例えば、異なる可撓性又は異なる機械特性のために）、供給される繊維類の機械的張力を制御するためのいくつかの手段が提供され、織物を製造している間に織機のいかなる不足をも避けることができる。
【００４７】
例えば、これらの機械的張力制御手段は、機械的張力の電気的及び／又は機械的制御を有する独立した機関の制御下で回転させる、照明繊維類の電源供給のための、従来の又は別のワープビーム（ｗａｒｐ ｂｅａｍ）により構成することができる。
【００４８】
図５は、照明繊維類２が織糸として配置されている本発明の織物部品１６からなる完成する前の状態の製品を示す。この場合、繊維類２は、多数の選ばれたたて糸によってのみ織り混ぜられることができ、その結果、予め定められた繊維２の長さ部は、織物部品から自由なままで維持される。
【００４９】
好都合なことに、これらの自由部は、繊維の末端（図５における部分Ｐ１）か若しくはいずれかの中間部分（図５の部分Ｐ２）のいずれかに配置され得る。
【００５０】
さらなる利点としては、各々の繊維類２は、その織り混ぜられた自由部の異なる部分に存在することができ、その結果、本質的にいかなる図形や絵も、織物から現われる照明繊維部分の適切な配置を構成することにより、得られることが言及されなければならない。
【００５１】
より詳細には、図５は、たて糸Ｗ、織糸Ｔ及び照明繊維２からできている織物部品を概略的に示す。
【００５２】
好都合なことに、本発明によれば、織物部品１６は予め定められた高さＨで切断され、繊維２の自由末端部分が光源ＬＳで容易に連結されるように束ね合わせることができる。
【００５３】
本発明のさらなる利点により、少なくとも一つの繊維類２は、互いに隣接せず、その結果、繊維類２の自由部分の基礎をなす織物部分１７が実質的に連続性を維持し、かつ、例えば、用いられる同一の織物部品１６のための保護シートとして提供できる。
【００５４】
本発明は、実施するための好ましい方法に関して述べられた。同等の変更が本発明の範囲を逸脱しない範囲で達成され得る。
【図面の簡単な説明】
【図１】本発明による織物の組織の一例を示す。
【図２】織物から製造された一つの布製品を概略的に表す。
【図３】電源供給手段と本発明の布製品の発光繊維類との連結を概略的に表す。
【図４】本発明による布製品のさらなる製造段階を示す。
【図５】発光繊維類が織物の織糸として配置されている本発明の織物のさらなる具体的態様の概略を示す。
【図１】
2004506106.tif 000003
【図２】
2004506106.tif 000004
【図３】
2004506106.tif 000005
【図４】
2004506106.tif 000006
【図５】
2004506106.tif 000007
【国際公開パンフレット】
2004506106.tif 000008
2004506106.tif 000009
2004506106.tif 000010
2004506106.tif 000011
2004506106.tif 000012
2004506106.tif 000013
2004506106.tif 000014
2004506106.tif 000015
2004506106.tif 000016
2004506106.tif 000017
2004506106.tif 000018
2004506106.tif 000019
2004506106.tif 000020
2004506106.tif 000021
2004506106.tif 000022
2004506106.tif 000023
2004506106.tif 000024
【国際調査報告】
2004506106.tif 000025
2004506106.tif 000026